(57)【要約】【課題】スリンガーおよびリップシールの組み合わせよりなる磁気エンコーダー付きの密封装置において、複数の製品を積み重ねたときに製品同士が粘着するのを抑制することができる密封装置を提供する。【解決手段】相対回転する二部材のうちの一方に装着されるスリンガー２と、他方に装着されるリップシール４との組み合わせよりなり、スリンガー２はその軸方向一方の端面に磁気エンコーダー３を有し、リップシール４はスリンガー２に摺動自在に密接するシールリップ６を取付環５に被着してなる密封装置１において、取付環５の軸方向他方の端面に、製品積み重ね時における吸着現象を抑制する吸着防止突起７を設けるとともに、吸着防止突起７の先端に、製品積み重ね時における粘着現象を抑制する粘着防止突起８を設けることを特徴とする。【選択図】図１
2009008104.tif 000002
【特許請求の範囲】
【請求項１】
相対回転する二部材のうちの一方に装着されるスリンガーと、他方に装着されるリップシールとの組み合わせよりなり、前記スリンガーはその軸方向一方の端面に磁気エンコーダーを有し、前記リップシールは前記スリンガーに摺動自在に密接するシールリップを取付環に被着してなる密封装置において、
前記取付環の軸方向他方の端面に、製品積み重ね時における吸着現象を抑制する吸着防止突起を設けるとともに、前記吸着防止突起の先端に、製品積み重ね時における粘着現象を抑制する粘着防止突起を設けたことを特徴とする密封装置。
【請求項２】
相対回転する二部材のうちの一方に装着されるスリンガーと、他方に装着されるリップシールとの組み合わせよりなり、前記スリンガーはその軸方向一方の端面に磁気エンコーダーを有し、前記リップシールは前記スリンガーに摺動自在に密接するシールリップを取付環に被着してなる密封装置において、
前記取付環の軸方向他方の端面に、前記シールリップと一体のゴム状弾性体を回り込ませることにより回り込み部を設けるとともに、前記回り込み部の先端に、製品積み重ね時における粘着現象を抑制する粘着防止突起を設けたことを特徴とする密封装置。
【請求項３】
請求項１または２記載の密封装置において、
粘着防止突起は環状に設定されていることを特徴とする密封装置。
【請求項４】
請求項１または２記載の密封装置において、
粘着防止突起は複数が円周上に並んで設定されていることを特徴とする密封装置。
【発明の詳細な説明】
【技術分野】
【０００１】
本発明は、密封技術に係る密封装置に関するものである。本発明の密封装置は例えば、ハブベアリングシールとして自動車関連分野に用いられ、または家電製品、産業機械もしくは自転車等の各関連分野において用いられる。
【背景技術】
【０００２】
従来から、図１０に示す密封装置５１が知られており、この密封装置５１は、自動車用車輪懸架装置のベアリング部にハブベアリングシールとして用いられるものであって、ベアリング内輪６１の外周側に装着されるスリンガー５２と、ベアリング外輪６２の内周側に装着されるリップシール５４との組み合わせにより構成されている。
【０００３】
スリンガー５２は、断面略Ｌ字形に成形され、その軸方向一方（図では右方）の端面に磁気エンコーダー５３が被着されている。リップシール５４は、スリンガー５２に摺動自在に密接するゴム状弾性体製のシールリップ５６を金属製の取付環５５に被着したものであって、取付環５５の軸方向他方（図では左方）の端面に同じくゴム状弾性体よりなる製品積み重ね時の吸着防止突起５７が設けられている。この吸着防止突起５７は、その名のとおり吸着防止のために設けられており、すなわち吸着防止突起５７が設けられていないと、複数の製品５１を軸方向に積み重ねたときに一の製品５１における磁気エンコーダー５３が隣の製品５１における取付環５５に吸着（磁着）する事態が発生し、その引き剥がしが面倒な作業となることから、予めの吸着防止対策として、スペーサーとして機能する吸着防止突起５７が設けられている（特許文献１参照）。
【０００４】
しかしながら、上記従来技術には、以下の不都合がある。
【０００５】
すなわち、上記従来技術によると、上記したように取付環５５の軸方向他方の端面に吸着防止突起５７が設けられているために、図１１に示すように複数の製品５１を軸方向に積み重ねたときに一（図では下側）の製品５１における磁気エンコーダー５３が隣（図では上側）の製品５１における取付環５５に吸着（磁着）するのを抑制することが可能とされているが、この積み重ね状態において上方から大きな荷重（製品重量等）が作用すると、吸着防止突起５７自体が磁気エンコーダー５３に強く押し付けられて粘着してしまうことがあり、その引き剥がしが面倒な作業となる。特に上記密封装置５１はスリンガー５２およびリップシール５４の組み合わせよりなる組み立てタイプのシールであって内部にグリース（図示せず）を充填する仕様であることから、造り込み上、一部のグリースが吸着防止突起５７の先端や磁気エンコーダー５３の端面に付着し、これが粘着発生の原因となる。したがって製品出荷時、図１１に示したように複数の製品５１を軸方向に積み重ねた状態で出荷すると、上記グリースの介在によって吸着防止突起５７が磁気エンコーダー５３に粘着してしまう。粘着は吸着と違って時間が経つに連れて粘着力が益々大きくなることから、出荷先において製品５１同士を切り離すのが困難となることもある。
【０００６】
【特許文献１】特開２００１−１４１０６９号公報
【発明の開示】
【発明が解決しようとする課題】
【０００７】
本発明は以上の点に鑑みて、スリンガーおよびリップシールの組み合わせよりなる磁気エンコーダー付きの密封装置において、複数の製品を積み重ねたときに製品同士が粘着するのを抑制することができる密封装置を提供することを目的とする。
【課題を解決するための手段】
【０００８】
上記目的を達成するため、本発明の請求項１による密封装置は、相対回転する二部材のうちの一方に装着されるスリンガーと、他方に装着されるリップシールとの組み合わせよりなり、前記スリンガーはその軸方向一方の端面に磁気エンコーダーを有し、前記リップシールは前記スリンガーに摺動自在に密接するシールリップを取付環に被着してなる密封装置において、前記取付環の軸方向他方の端面に、製品積み重ね時における吸着現象を抑制する吸着防止突起を設けるとともに、前記吸着防止突起の先端に、製品積み重ね時における粘着現象を抑制する粘着防止突起を設けたことを特徴とするものである。
【０００９】
また、本発明の請求項２による密封装置は、相対回転する二部材のうちの一方に装着されるスリンガーと、他方に装着されるリップシールとの組み合わせよりなり、前記スリンガーはその軸方向一方の端面に磁気エンコーダーを有し、前記リップシールは前記スリンガーに摺動自在に密接するシールリップを取付環に被着してなる密封装置において、前記取付環の軸方向他方の端面に、前記シールリップと一体のゴム状弾性体を回り込ませることにより回り込み部を設けるとともに、前記回り込み部の先端に、製品積み重ね時における粘着現象を抑制する粘着防止突起を設けたことを特徴とするものである。
【００１０】
また、本発明の請求項３による密封装置は、上記したように請求項１または２記載の密封装置において、粘着防止突起は環状に設定されていることを特徴とするものである。
【００１１】
更にまた、本発明の請求項４による密封装置は、上記した請求項１または２記載の密封装置において、粘着防止突起は複数が円周上に並んで設定されていることを特徴とするものである。
【発明の効果】
【００１２】
上記構成を備えた本発明の請求項１による密封装置においては、リップシールにおける取付環の軸方向他方の端面に製品積み重ね時における吸着現象を抑制する吸着防止突起が設けられるために、複数の製品を積み重ねたときに一の製品における磁気エンコーダーが隣の製品における取付環に吸着するのを抑制することができ、しかもそのうえで、この吸着防止突起の先端に製品積み重ね時における粘着現象を抑制する粘着防止突起が設けられ、この粘着防止突起は製品積み重ね時における吸着防止突起の磁気エンコーダーに対する圧着の度合いを低減させることによって粘着現象を抑制するものである。したがってこのような粘着防止突起が吸着防止突起の先端に設けられることにより、複数の製品を積み重ねたときに一の製品における吸着防止突起が隣の製品における磁気エンコーダーに粘着して貼り付いてしまうのを抑制することができる。
【００１３】
また、密封装置のタイプとしては、リップシールにおける取付環の軸方向他方の端面に吸着防止突起の代わりに、シールリップと一体のゴム状弾性体を回り込ませることにより回り込み部を設けたものがあり、この回り込み部は、ゴム状弾性体が取付環の軸方向一方の端面から取付環の内周端部を経由して取付環の軸方向他方の端面へと回り込むことよってゴム状弾性体により取付環の内周端部を三方から被覆するために設けられ、またゴム状弾性体を取付環から剥がれにくくするために設けられている。したがってこのタイプの密封装置においては、この回り込み部の先端に粘着防止突起が設けられることにより、複数の製品を積み重ねたときに一の製品における回り込み部が隣の製品における磁気エンコーダーに粘着して貼り付いてしまうのを抑制することができる（請求項２）。
【００１４】
粘着防止突起の具体的構造としては、吸着防止突起または回り込み部が環状である場合はこれに合わせて環状に設定するのが好適であり（請求項３）、また複数を円周上に並んで設定するようにしても良く（請求項４）、何れの場合も金型による成形は１回の成形工程で済むことから、仕様に応じた金型のみを用意すれば成形に余分な手間がかかることもない。
【発明を実施するための最良の形態】
【００１５】
尚、本発明には、以下の実施形態が含まれる。
（１）粘着対策として、ゴム部（吸着防止突起または取付環内周回り込み部）に、円周上の突起を設ける仕様とする。
（２）また、粘着対策として、ゴム部（吸着防止突起または取付環内周回り込み部）に、等配の突起を設ける仕様とする。
【実施例】
【００１６】
つぎに本発明の実施例を図面にしたがって説明する。
【００１７】
第一実施例・・・
図１は、本発明の第一実施例に係る密封装置１の要部断面を示しており、その一部が図２に拡大して示されている。当該実施例に係る密封装置１は自動車用車輪懸架装置のベアリング部にハブベアリングシールとして用いられるものであって、以下のように構成されている。
【００１８】
すなわち先ず、当該密封装置１は、ベアリング内輪の外周側に装着されるスリンガー２と、ベアリング外輪の内周側に装着されるリップシール４との組み合わせにより構成されている。
【００１９】
スリンガー２は、断面Ｌ字ないし略Ｌ字形に成形された金属環であって、その軸方向一方（図では上方）の端面２ａに磁気エンコーダー３が被着されている。磁気エンコーダー３は、磁性体粉を混入したゴム状弾性体により環状に成形されたものであって円周方向に多磁極化（Ｎ極およびＳ極の繰り返しパターン）されており、回転時にセンサー部によりパルス信号を読み取られることによって回転数や回転角度の検出等に用いられる。
【００２０】
リップシール４は、スリンガー２に摺動自在に密接する複数のゴム状弾性体製のシールリップ６（図では３本で、このうち１本はスリンガー２のフランジ部の内側端面に摺動自在に密接するサイドリップとされ、残る２本はスリンガー２の筒状部の外周面に摺動自在に密接するラジアルリップ（メインリップおよびグリースリップ）とされている）を金属製の取付環５に被着したものであって、取付環５の軸方向他方（図では下方）の端面５ａに、同じくゴム状弾性体よりなる環状の、製品積み重ね時における吸着現象を抑制する吸着防止突起７が設けられている。シールリップ６のゴム状弾性体と吸着防止突起７のゴム状弾性体とは取付環５の内周部において一体に繋がっている（一体成形されている）が、互いに分離して成形されたものであっても良い。
【００２１】
また、当該実施例においては特に、吸着防止突起７の先端に、製品積み重ね時における粘着現象を抑制する粘着防止突起８が設けられており、この粘着防止突起８は、吸着防止突起７が環状であるのに合わせて環状に設定されている。
【００２２】
また、この粘着防止突起８は図２に拡大して示すように、その断面形状を三角ないし略三角形とされているが、特に限定されるものではなく、そのほか丸状（半円形）もしくは角状（四角形）など、造り込み上で任意に設定できるものとする。また、粘着防止突起８の高さ寸法ｈ１は実寸で０．１〜０．５ｍｍ程度とされ、吸着防止突起７の高さ寸法ｈ２と比較して随分と小さく設定されている。また、粘着防止突起８の幅（径方向幅）寸法ｗ１は実寸で０．１〜１．０ｍｍ程度とされ、吸着防止突起７の幅（径方向幅）寸法ｗ２と比較してこれも随分小さく設定されている。このように粘着防止突起８は吸着防止突起７と比較して小さいことから、粘着防止用小突起と称することもある。
【００２３】
上記構成を備えた密封装置１においては、上記したように吸着防止突起７の先端に製品積み重ね時における粘着現象を抑制する粘着防止突起８が設けられているために、複数の製品１を向きを揃えて同軸上に積み重ねると、一の製品（上側の製品）１における粘着防止突起８が隣の製品（下側の製品）１における磁気エンコーダー３の上に載ることになり、この粘着防止突起８が一種のスペーサーとして機能することにより吸着防止突起７と磁気エンコーダー３との間に間隙が設定され、よって吸着防止突起７の磁気エンコーダー３に対する圧着の度合いが低減されることになる。したがってこのような粘着防止突起８が吸着防止突起７の先端に設けられていることにより、複数の製品１を軸方向に積み重ねたときに一の製品における吸着防止突起７が隣の製品における磁気エンコーダー３に粘着して貼り付いてしまうのを有効に抑制することができる。
【００２４】
上記第一実施例に係る密封装置１は、その構成を以下のように付加・変更するものであっても良い。
【００２５】
第二実施例・・・
上記第一実施例では、環状の粘着防止突起８が１本設けられているが、これを複数設けることにする。図３の例では、環状の粘着防止突起８が２本同心状に設けられている。
【００２６】
第三実施例・・・
先端に粘着防止突起８を設ける吸着防止突起７につき、上記第一実施例では、その断面形状が径方向対称の台形とされているが、図４に示すように吸着防止突起７の断面形状を先細り状としかつその内周側側面７ａが外周側側面７ｂよりも大きな角度で当該密封装置の中心軸線に対して傾斜する形状とする（当該密封装置の中心軸線に対する内周側側面７ａの傾斜角度をθ１、外周側側面７ｂの傾斜角度をθ２として、θ１＞θ２に設定する）。このように吸着防止突起７の断面形状を径方向非対称にすると、複数の製品１を軸方向に積み重ねたときに吸着防止突起７が内周側に倒れにくくなり、よって製品積み重ね時における姿勢安定性を高めることができる。
【００２７】
第四実施例・・・
上記第一実施例では、粘着防止突起８が環状とされている（突起の数としては１個）が、これに代えて、粘着防止突起８を複数が円周上に並んで設けられるものとする。円周上１箇所に設ける突起８の数は１〜５個で１グループとし、このようなグループを３〜３０等配で設置する。図５の例では、突起８の数は２個で１グループとされ、このようなグループが多数等配状に設置されている。突起８の形状ないし断面形状は特に制限されるものではない。突起８の高さ寸法および幅（径方向幅）寸法は何れも実寸で０．１〜１．０ｍｍ程度とされている。
【００２８】
また、上記粘着防止突起７は、必ずしも環状でなくても良く、複数が円周上に並んで設けられるものであっても良く、この場合は、各突起７の先端にそれぞれ粘着防止突起８が設けられる。
【００２９】
第五実施例・・・
図６は、本発明の第五実施例に係る密封装置１の要部断面を示しており、その一部が図７に拡大して示されている。当該実施例に係る密封装置１は自動車用車輪懸架装置のベアリング部にハブベアリングシールとして用いられるものであって、以下のように構成されている。
【００３０】
すなわち先ず、当該密封装置１は、ベアリング内輪の外周側に装着されるスリンガー２と、ベアリング外輪の内周側に装着されるリップシール４との組み合わせにより構成されている。
【００３１】
スリンガー２は、断面Ｌ字ないし略Ｌ字形に成形された金属環であって、その軸方向一方（図では上方）の端面２ａに磁気エンコーダー３が被着されている。磁気エンコーダー３は、磁性体粉を混入したゴム状弾性体により環状に成形されたものであって円周方向に多磁極化（Ｎ極およびＳ極の繰り返しパターン）されており、回転時にセンサー部によりパルス信号を読み取られることによって回転数や回転角度の検出等に用いられる。
【００３２】
リップシール４は、スリンガー２に摺動自在に密接する複数のゴム状弾性体製のシールリップ６（図では３本で、このうち１本はスリンガー２のフランジ部の内側端面に摺動自在に密接するサイドリップとされ、残る２本はスリンガー２の筒状部の外周面に摺動自在に密接するラジアルリップ（メインリップおよびグリースリップ）とされている）を金属製の取付環５に被着したものであって、取付環５の軸方向他方（図では下方）の端面５ａに、同じくゴム状弾性体よりなる環状の回り込み部９が設けられている。この回り込み部９は、シールリップ６と一体のゴム状弾性体１０が取付環５のフランジ部の軸方向一方の端面（内側端面）５ｂから取付環５のフランジ部の内周端部を経由して取付環５のフランジ部の軸方向他方の端面（外側端面）５ａへ回り込むことよってゴム状弾性体１０により取付環５のフランジ部の内周端部を三方（軸方向一方、径方向内方および軸方向他方）から被覆するために設けられており、またゴム状弾性体１０を取付環５から剥がれにくくするために設けられている。したがってこれらの機能からして回り込み部９はその高さ寸法が上記第一実施例における吸着防止突起８よりも小さく設定されていることが多い。上記第一実施例および当該第五実施例では何れも取付環５のフランジ部（径方向部）が外高状の段付き形状とされ、上記第一実施例における吸着防止突起７はその機能上、先端部が必ず取付環５よりも軸方向他方へ突出した形状とされている。これに対して当該第五実施例における回り込み部９はその機能上、先端部が必ずしも取付環５よりも軸方向他方へ突出している必要はなく、すなわち外高段付き形状の低面部に被着された回り込み部９はその先端部が外高段付き形状の高面部と同じ高さ位置に配置された形状（回り込み部９の先端部と外高段付き形状の高面部とが同一平面上に配置された形状）であっても良い。
【００３３】
また、当該実施例においては特に、回り込み部９の先端に、製品積み重ね時における粘着現象を抑制する粘着防止突起８が設けられており、この粘着防止突起８は、回り込み部９が環状であるのに合わせて環状に設定されている。
【００３４】
また、この粘着防止突起８は図７に拡大して示すように、その断面形状を三角ないし略三角形とされているが、特に限定されるものではなく、そのほか丸状（半円形）もしくは角状（四角形）など、造り込み上で任意に設定できるものとする。また、粘着防止突起８の高さ寸法ｈ１は実寸で０．１〜０．５ｍｍ程度とされ、回り込み部９の高さ寸法ｈ３と比較して随分と小さく設定されている。また、粘着防止突起８の幅（径方向幅）寸法ｗ１は実寸で０．１〜１．０ｍｍ程度とされ、回り込み部９の幅（径方向幅）寸法ｗ３と比較してこれも随分小さく設定されている。このように粘着防止突起８は回り込み部９と比較して小さいことから、粘着防止用小突起と称することもある。
【００３５】
上記構成を備えた密封装置１においては、上記したように回り込み部９の先端に製品積み重ね時における粘着現象を抑制する粘着防止突起８が設けられているために、複数の製品１を向きを揃えて同軸上に積み重ねると、一の製品（上側の製品）１における粘着防止突起８が隣の製品（下側の製品）１における磁気エンコーダー３の上に載ることになり、この粘着防止突起８が一種のスペーサーとして機能することにより回り込み部９と磁気エンコーダー３との間に間隙が設定され、よって回り込み部９の磁気エンコーダー３に対する圧着の度合いが低減されることになる。したがってこのような粘着防止突起８が回り込み部９の先端に設けられていることにより、複数の製品１を軸方向に積み重ねたときに一の製品における回り込み部９が隣の製品における磁気エンコーダー３に粘着して貼り付いてしまうのを有効に抑制することができる。
【００３６】
上記第五実施例に係る密封装置１は、その構成を以下のように付加・変更するものであっても良い。
【００３７】
第六実施例・・・
上記第五実施例では、環状の粘着防止突起８が１本設けられているが、これを複数設けることにする。図８の例では、環状の粘着防止突起８が２本同心状に設けられている。
【００３８】
第七実施例・・・
上記第五実施例では、粘着防止突起８が環状とされている（突起の数としては１個）が、これに代えて、粘着防止突起８を複数が円周上に並んで設けられるものとする。円周上１箇所に設ける突起８の数は１〜５個で１グループとし、このようなグループを３〜３０等配で設置する。図９の例では、突起８の数は２個で１グループとされ、このようなグループが多数等配状に設置されている。突起８の形状ないし断面形状は特に制限されるものではない。突起８の高さ寸法および幅（径方向幅）寸法は何れも実寸で０．１〜１．０ｍｍ程度とされている。
【００３９】
尚、回り込み部９は、取付環５の内周端部を被覆すると云う機能からして一般に環状に設定されており、この環状の回り込み部９の先端に環状の粘着防止突起７または複数の粘着防止突起７が設けられることになる。
【図面の簡単な説明】
【００４０】
【図１】本発明の第一実施例に係る密封装置の要部断面図
【図２】図１の一部拡大図
【図３】本発明の第二実施例に係る密封装置の要部断面図
【図４】本発明の第三実施例に係る密封装置の要部断面図
【図５】（Ａ）は本発明の第四実施例に係る密封装置の要部断面図、（Ｂ）は同実施例における粘着防止突起の配置を示す説明図
【図６】本発明の第五実施例に係る密封装置の要部断面図
【図７】図６の一部拡大図
【図８】本発明の第六実施例に係る密封装置の要部断面図
【図９】（Ａ）は本発明の第七実施例に係る密封装置の要部断面図、（Ｂ）は同実施例における粘着防止突起の配置を示す説明図
【図１０】従来例に係る密封装置の装着状態を示す要部断面図
【図１１】従来例に係る密封装置の積み重ね状態を示す要部断面図
【符号の説明】
【００４１】
１  密封装置
２  スリンガー
２ａ，５ａ，５ｂ  端面
３  磁気エンコーダー
４  リップシール
５  取付環
６  シールリップ
７  吸着防止突起
７ａ  内周側側面
７ｂ  外周側側面
８  粘着防止突起
９  回り込み部
１０  ゴム状弾性体
【図１】
2009008104.tif 000003
【図２】
2009008104.tif 000004
【図３】
2009008104.tif 000005
【図４】
2009008104.tif 000006
【図５】
2009008104.tif 000007
【図６】
2009008104.tif 000008
【図７】
2009008104.tif 000009
【図８】
2009008104.tif 000010
【図９】
2009008104.tif 000011
【図１０】
2009008104.tif 000012
【図１１】
2009008104.tif 000013